【事件の表示】
　平成　８年特許願第１２６９３４号「電子写真感光体」拒絶査定に対する審判事件［平成　９年１２月　２日出願公開、特開平　９−３１１４７７］について、次のとおり審決する。
【結　論】
　本件審判の請求は、成り立たない。
【理　由】
１．手続の経緯
　本願は、平成８年５月２２日の出願であって、平成１１年４月２８日付けで拒絶査定がなされ、これに対し、同年６月１０日に拒絶査定に対する審判請求がなされるとともに、同年６月１７日付けで手続補正がなされたものである。
　
２．平成１１年６月１７日付けの手続補正についての補正却下の決定
［補正却下の決定の結論］
　　平成１１年６月１７日付けの手続補正を却下する。
［理由］
（１）補正後の本願発明
　本件補正により、特許請求の範囲は、
「【請求項１】アルミニウム支持体の表面に電荷発生層を設け、前記電荷発生層の上に電荷輸送層を設けた電子写真感光体において、前記電荷輸送層が電荷輸送用塗料にパーフルオロアルキル基を有する界面活性剤のみを混ぜたものからなり、前記界面活性剤の量を前記電荷輸送用塗料の固形分の重量の０．０５重量％としたことを特徴とする電子写真感光体。
【請求項２】アルミニウム支持体の表面に電荷輸送層を設け、前記電荷輸送層の上に電荷発生層を設けた電子写真感光体において、前記電荷発生層が電荷発生用塗料にパーフルオロアルキル基を有する界面活性剤のみを混ぜたものからなり、前記界面活性剤の量を前記電荷発生用塗料の固形分の重量の０．０５重量％としたことを特徴とする電子写真感光体。
【請求項３】アルミニウム支持体の表面に一つのバインダー樹脂に電荷輸送剤と電荷発生剤の両者または電荷輸送機能と電荷発生機能との二つの機能を併せ持つ一つの材料を分散した塗料を塗布して単一層を形成した電子写真感光体において、前記単一層が前記塗料にパーフルオロアルキル基を有する界面活性剤のみを混ぜたものからなり、前記界面活性剤の量を前記単一層の塗料の固形分の重量の０．０５重量％としたことを特徴とする電子写真感光体。」
と補正された。
　上記補正は、請求項１に記載した発明を特定するために必要な事項である「電荷輸送層がパーフルオロアルキル基を有する界面活性剤を含む」点について、「電荷輸送層が電荷輸送用塗料にパーフルオロアルキル基を有する界面活性剤のみを混ぜたものからなり」との限定を付加し、同じく請求項２に記載した発明を特定するために必要な事項である「電荷発生層がパーフルオロアルキル基を有する界面活性剤を含む」点について、「電荷発生層が電荷発生用塗料にパーフルオロアルキル基を有する界面活性剤のみを混ぜたものからなり」との限定を付加し、同じく請求項３に記載した発明を特定するために必要な事項である「前記塗料がパーフルオロアルキル基を有する界面活性剤を含む」点について「前記単一層が前記塗料にパーフルオロアルキル基を有する界面活性剤のみを混ぜたものからなり」との限定を付加するものであって、特許法第１７条の２第４項第２号の特許請求の範囲の減縮を目的とするものに該当する。
　そこで、本件補正後の前記請求項１ないし３に記載された発明（以下、「本願補正発明１」ないし「本願補正発明３」という。）が特許出願の際独立して特許を受けることができるものであるか（特許法第１７条の２第５項において準用する同法第１２６条第４項の規定に適合するか）について以下に検討する。
　
（２）引用例の記載
　原査定の拒絶の理由に引用された特開平６−３３２２１７号公報（以下、「引用例１」という）には、以下の記載がある。
　１−イ：「【請求項２０】導電性支持体上に感光層を有する電子写真感光体において、該感光体の表面層がポリテトラフルオロエチレン樹脂、及びノニオン系パーフルオロアルキル基を有するフッ素系界面活性剤を含有することを特徴とする電子写真感光体。【請求項２１】前記表面層が電荷輸送層である請求項２０記載の電子写真感光体。【請求項２２】前記表面層が電荷発生層である請求項２０記載の電子写真感光体。」（特許請求の範囲請求項２０ないし請求項２２）
　１−ロ：感光層の構成について、「更に詳しく説明すると、本発明は電荷発生材料を含む電荷発生層と電荷輸送材料を含む電荷輸送層とをこの順に積層した積層感光体や、電荷発生層と電荷輸送層が逆に積層された積層感光体、電荷発生材料と電荷輸送材料とが単一層に含まれた単層感光体、また、これら積層及び単層感光体のうち表面層に保護層を持つ感光体に用いることができる。」（段落【００１０】）
　１−ハ：導電性支持体について、「支持体としては、鉄、銅、金、銀、アルミニウム、亜鉛、鉛、チタン、ニッケル等の金属や合金あるいはこれら金属類の酸化物、カーボン、導電性ポリマー成型品等が使用可能である。」（段落【００１１】）
　
　当審における平成１４年４月９日付け審尋において、その後発見した引用例として示した特開平１−２５３７５１号公報（以下、「引用例２」という）には、以下の記載がある。
　２−イ：「（１）支持体上に電荷発生機能と電荷輸送機能を有する構成層を積層した電子写真感光体に於て、主要繰返し単位として下記一般式〔ＢＩ〕及び／または〔ＢＩＩ〕を構造組成に有するポリカーボーネートと非イオン界面活性剤とを含有することを特徴とする電子写真感光体。（一般式〔ＢＩ〕、〔ＢＩＩ〕及び式中の符号の説明は省略）」（特許請求の範囲請求項１）
　２−ロ：界面活性剤の機能について、「表面性或は滑り性の改善には界面活性剤も有用であり、而も懸濁系の塗料に於ては懸濁質の分散及び分散安定性向上に有効であり、溶液系塗料に於ても溶解促進などに、また塗布性の向上等生産技術上の価値を有する。」（公報第２頁右下欄８行〜１２行）
　２−ハ：発明の目的について、「本発明の目的は、耐摩耗性が改善されてクリーニング性がよく、良好な印刷特性、画質がえられ、且つ耐湿性が優れており、而も塗布性及び表面性の良好な電子写真感光体の提供にある。」（公報第２頁右下欄１６行〜１９行）
　２−ニ：非イオン界面活性剤の種類及びその添加使用量について、「本発明の目的に叶う界面活性剤としては、ポリエチレングリコール型或は多価アルコール型の非イオン界面活性剤が選ばれ、・・・更に該非イオン界面活性剤は、その親水性部分のエーテル結合、水酸基に対する疎水基が炭化水素のままである炭化水素系、炭化水素の水素が珪素原子で置換されたシリコーン系及び弗素原子で置換された弗素系のものがあり、弗素系＞シリコーン系＞炭化水素系の順に弗素系が最も好ましい。これら非イオン界面活性剤の具体例を挙げる。・・・パーフルオロアルキルポリオキシエタノール（フルオラードＦＣ−１７０；住友３Ｍ社）　弗化アルキルエステル（フルオラードＦＣ−４３０；住友３Ｍ社）　弗化アルキルエステル（フルオラードＦＣ−４３１；住友３Ｍ社）・・・添加使用量は塗料組成によって大幅に変動するが、塗料の１０−４〜１．０ｗｔ％の範囲であり、最適量は実用的に定められる。」（公報第６頁右下欄１７行〜第７頁右上欄８行）
　２−ホ：導電性支持体について、「本発明の電子写真感光体の構成に用いられる導電性支持体としては、主として下記のものが用いられるが、これらにより限定されるものではない。　１）アルミニウム板、ステンレス板などの金属板。　２）紙あるいはプラスチックフィルムなどの支持体上に、アルミニウム、パラジウム、金などの金属薄層をラミネートもしくは蒸着によって設けたもの。　３）紙あるいはプラスチックフィルムなどの支持体上に、導電性ポリマ、酸化インジウム、・・・設けたもの。」（公報第８頁右下欄１３行〜第９頁左上欄４行）
　２−ヘ：感光体の構成について、「本発明の感光体は、第１図及び第２図に示すように導電性支持体１上にＣＧＭを主成分とするＣＧＬ２と本発明に係るＣＴＭを主成分として含有するＣＴＬ３との積層体より成る感光層４を設ける。・・・また本発明においては、第５図及び第６図に示すように前記ＣＴＭを主成分とする層６中に微粒子状のＣＧＭ７を分散してなる感光層４を導電性支持体１上に直接あるいは、中間層５を介して設けてもよい。」（公報第９頁左上欄５行〜１７行、及び第１図、第２図、第５図、第６図）
　２−ト：実施例として、「感光体Ａ　ＫｏｎｉｃａＵ−Ｂｉｘ１５５０ＭＲ用アルミ基体上に、塩化ビニル−酢酸ビニル−無水マレイン酸共重合体・・・よりなる厚さ約０．１μｍの中間層を設け、つぎに、下記構造式（Ａ）で示されるアントアントロン系顔料２ｇ、ポリカーボネート樹脂・・・１ｇ及び１，２−ジクロルエタン１００ｍｌを１２時間ボールミルにより分散して得られた分散液を前記中間層上にディップ塗布し、厚さ約０．５μｍのＣＧＬを形成した。さらに、下記構造式（Ｂ）で示されるＣＴＭ１１．２５ｇと例示繰返し単位ＢＩＩ−２を有するポリカーボネート樹脂・・・１５ｇとを１，２−ジクロルエタン１００ｍｌに溶解して得られた溶液に非イオン界面活性剤「フルオラードＦＣ−４３１」（住友スリーエム社製）０．０１ｍｌを加え、この溶液を前記ＣＧＬ上にディップ塗布した後、温度８５℃で１時間乾燥して厚さ約２０μｍのＣＴＬを形成し、本発明の感光体を製造した。これを「感光体Ａ」とする。（構造式省略）」（公報第９頁右下欄１１行〜第１０頁左上欄下から２行）
　
　当審における平成１４年４月９日付け審尋において、その後発見した引用例として示した特開昭５５−１２７５６４号公報（以下、「引用例３」という）には、以下の記載がある。
　３−イ：「支持体および光導電体を結着剤中に含有してなる光導電層を有する電子写真感光体において、光導電層がフッ素系界面活性剤を含むことを特徴とする電子写真感光体。」（特許請求の範囲第１項）
  ３−ロ：フッ素系界面活性剤の作用について、「本発明の所期の目的は、フッ素系界面活性剤による光導電体粒子の分散性の向上と塗膜形成性の向上によって達せられる。光導電体粒子がフッ素系界面活性剤の存在によって結着材中に効率的に且つ良好に分散し得、不十分な分散状態や過度の分散処理が避けられる。また、フッ素系界面活性剤の存在によって、光導電体と結着剤の分散液の塗工性が向上して、平面が均一の光導電層が形成され得る。」（公報第２頁右上欄１３行〜左下欄５行）
　３−ハ：フッ素系界面活性剤の種類及びその含有量について、「本発明に用いられるフッ素系界面活性剤は、分子中に高度にフッ素化された長鎖アルキル基を含有する界面活性剤である。フッ素系界面活性剤の代表的なものとしては、
　Ｃ８Ｆ１７ＳＯ２・ＮＲＣＨ２ＣＯＯＫ，
　Ｃ８Ｆ１７ＳＯ２・ＮＲＣＨ２ＣＨ２Ｏ（ＣＨ２ＣＨ２Ｏ）ｎＨ
　　　　　　　　　　　　　　　　　　　　（ｎ＝５，１０，１５）
　Ｃ８Ｆ１７ＳＯ２Ｎ（ＣＨ２ＣＨ２ＣＨ２ＯＨ）２　
　Ｃ８Ｆ１７ＲＯ（ＣＨ２ＣＨ２Ｏ）ｎ　
　Ｃ１６Ｆ３４（ＲＯ）ｎ         ｎ＝５〜２０
　Ｃ１６Ｆ３４（Ｒ−Ｏ）ｎＲ     ｎ＝５〜２０
などである。
Ｒはメチル、エチル、プロピル、ブチルなどのアルキル基、フェニル、ナフチルなどのアリル基、等を表わす。
　フッ素系界面活性剤は結着剤重量部に対して０．０１〜１０重量部の範囲、特には０．５〜５重量部で含まれることが好適である。」（公報第２頁左下欄６行〜右下欄６行）
　３−ニ：実施例として、「実施例１　ＣｄＳ粉末１００部（重量）に対し、結着剤として、塩化ビニル−酢酸ビニル共重合体（商品名：ＶＭＣＨ，ＵＣＣ製）１０部を添加しさらにメチルエチルケトン１５０ｍｌを加えて、よく攪拌した後、８０μギャップのロールミル装置を１回通過させＣｄＳと結着剤を混合した。この試料を（Ａ）とする。次にこの試料の一部を取り、フッ素系界面活性剤（商品名：ＦＣ４３１、住友３Ｍ製）を塩化ビニル−酢酸ビニル１０部に対し０．１部を添加した液を（Ｂ）とする。次に試料（Ａ），（Ｂ）を用い、Ａｌドラム支持体に浸漬法で５０μ厚に形成させ８０℃で１５分間熱乾燥し、残留溶剤を除去した。得られた２つの光導電層表面を顕微鏡で観察したが試料（Ａ）を用いた光導電層は１３ケ／１５００ｃｍ２の０．３ｍｍ径の突起物が見られ、表面層もザラツキぎみであったのに対し、試料（Ｂ）を用いた光導電層は非常に平滑であった。」（公報第３頁右下欄７行〜第４頁左上欄１０行）　
　
（３）対比・判断
（本願補正発明１と引用例１記載の発明との対比）
　本願補正発明１と、上記引用例１の【請求項２１】に記載された発明とを比較すると、引用例１記載の発明の「表面層が電荷輸送層である」という構成はすなわち、「導電性支持体上に電荷発生層を設け、その上に電荷輸送層を設けた」という構成を意味するものであることは上記１−ロの記載から明らかであり、また、電荷輸送層及び電荷発生層はそれぞれ電荷輸送用塗料及び電荷発生用塗料を塗布することにより形成されているものである（引用例１の実施例参照）ことから、両者は、「支持体の表面に電荷発生層を設け、前記電荷発生層の上に電荷輸送層を設けた電子写真感光体において、前記電荷輸送層が電荷輸送用塗料にパーフルオロアルキル基を有する界面活性剤のみを混ぜたものからなることを特徴とする電子写真感光体」である点で一致し、一方、本願補正発明１においては支持体が「アルミニウム」であるのに対して、引用例１記載の発明においては導電性支持体の基材が特定されていない点（相違点１）、及び、本願補正発明１においてはパーフルオロアルキル基を有する界面活性剤の量を「電荷輸送用塗料の固形分の重量の０．０５重量％」としているのに対して、引用例１記載の発明においてはパーフルオロアルキル基を有する界面活性剤の量が特定されていない点（相違点２）で相違するものである。なお、本願補正発明１においては「電荷輸送層が電荷輸送用塗料にパーフルオロアルキル基を有する界面活性剤のみを混ぜたものからなる」としているが、「電荷輸送用塗料」そのものが「塗料」として、たとえば引用例１に記載されているポリテトラフルオロエチレン樹脂のような他の成分を含むことを許容しているものであるから、この点においては両者の差異は認められない。
　上記相違点１について検討するに、引用例１には支持体としてアルミニウムが使用可能であることが記載されており（上記記載１−ハ参照）、導電性支持体としてアルミニウムを選択すること、すなわち上記相違点１に挙げられた構成を採用することに格別の困難性があったものとは認められない。
　次に上記相違点２について検討するに、本願補正発明１においては、パーフルオロアルキル基を有する界面活性剤の量を電荷輸送用塗料の固形分の重量の０．０５重量％と定めているが、明細書中においては「０．１〜１重量％」の範囲が示され、この範囲内の量の界面活性剤を添加することにより、塗料の表面張力が下って膜の表面の微細な凹凸が減少し、また、電荷輸送剤とバインダー樹脂の分散性が向上して膜の強度が高くなり、更に、界面活性剤がパーフルオロアルキル基を有するため、電荷輸送層の塗料を乾燥させるとき、界面活性剤が電荷輸送層の表面に滲み出し易く、その結果摩擦抵抗が減少する等の効果が複合し、電荷輸送層の耐磨耗性が向上すると共に傷の発生も防止されるという効果が得られるものである（本願明細書段落【００２２】参照）と認められ、「０．０５重量％」という数値は実施例の試料１、３、４において実際に用いた量を特定しただけのものであって、その効果において特別な意味のある数値ではない。一方、電子写真感光体において、その感光層に界面活性剤を含有させ、その特有の作用効果を利用して滑り性、分散性、塗膜形成性、塗布性、表面性、耐湿性、耐摩耗性等を向上させることは、この出願前において広く知られている技術であり（例えば特開平１−２５３７５１号公報（上記引用例２）、特開昭５５−１２７５６４号公報（上記引用例３）参照）、引用例１記載の発明においても、パーフルオロアルキル基を有する界面活性剤のこのような作用効果を考慮した上でその最適な添加量を定めることは、当業者であれば容易になし得ることであり、上記相違点２に挙げられた構成を採用することに格別の困難性があったものとは認められない。
　そして、本願補正発明１の作用効果も、上記引用例１の記載から当業者が予測できる範囲のものである。
　したがって、本願補正発明１は、引用例１に記載された発明に基づいて、当業者が容易に発明をすることができたものであるから、特許法第２９条第２項の規定により特許出願の際独立して特許を受けることができないものである。
　
（本願補正発明１と引用例２及び３記載の発明との対比）
　本願補正発明１と、上記引用例２の請求項１に記載された発明とを比較すると、引用例２記載の発明が「支持体上に電荷発生層を設け、その上に電荷輸送層を設けた」という構成を有するものであることは上記記載２−ヘ、トから明らかであり、また、電荷輸送層及び電荷発生層はそれぞれ電荷輸送用塗料及び電荷発生用塗料を塗布することにより形成されているものと認められる（上記記載２−ト参照）ことから、両者は、「支持体の表面に電荷発生層を設け、前記電荷発生層の上に電荷輸送層を設けた電子写真感光体において、前記電荷輸送層が電荷輸送用塗料に界面活性剤のみを混ぜたものからなることを特徴とする電子写真感光体」である点で一致し、一方、本願補正発明１においては支持体が「アルミニウム」であるのに対して、引用例２記載の発明においては支持体の基材が特定されていない点（相違点１）、本願補正発明１においては界面活性剤が「パーフルオロアルキル基を有する界面活性剤」であるのに対して、引用例２記載の発明においては界面活性剤が「非イオン界面活性剤」である点（相違点２）、及び、本願補正発明１においてはパーフルオロアルキル基を有する界面活性剤の量を「電荷輸送用塗料の固形分の重量の０．０５重量％」としているのに対して、引用例２記載の発明においては非イオン界面活性剤の量が特定されていない点（相違点３）で相違するものである。
　上記相違点１について検討するに、引用例２には導電性支持体としてアルミニウムが用いられることが記載されており（上記記載２−ホ参照）、支持体としてアルミニウムを選択すること、すなわち上記相違点１に挙げられた構成を採用することに格別の困難性があったものとは認められない。
　次に上記相違点２について検討するに、引用例２には非イオン界面活性剤としてパーフルオロアルキル基を有する界面活性剤が好ましいことが記載され（上記記載２−ニ参照）、その実施例にもパーフルオロアルキル基を有する界面活性剤を用いることが記載されており（上記記載２−ト参照）、さらに、上記引用例３にも、その感光層にフッ素系界面活性剤を含有させた電子写真感光体が記載され（上記記載３−イ参照）、該界面活性剤としてパーフルオロアルキル基を有する界面活性剤が例示されている（上記記載３−ハ、ニ参照）。したがって、非イオン界面活性剤としてパーフルオロアルキル基を有する界面活性剤を選択すること、すなわち上記相違点２に挙げられた構成を採用することに格別の困難性があったものとは認められない。
　さらに上記相違点３について検討するに、本願補正発明１においては、パーフルオロアルキル基を有する界面活性剤の量を電荷輸送用塗料の固形分の重量の０．０５重量％と定めているが、明細書中においては「０．１〜１重量％」の範囲が示され、この範囲内の量の界面活性剤を添加することにより、塗料の表面張力が下って膜の表面の微細な凹凸が減少し、また、電荷輸送剤とバインダー樹脂の分散性が向上して膜の強度が高くなり、更に、界面活性剤がパーフルオロアルキル基を有するため、電荷輸送層の塗料を乾燥させるとき、界面活性剤が電荷輸送層の表面に滲み出し易く、その結果摩擦抵抗が減少する等の効果が複合し、電荷輸送層の耐磨耗性が向上すると共に傷の発生も防止されるという効果が得られるものである（本願明細書段落【００２２】参照）と認められ、「０．０５重量％」という数値は実施例の試料１、３、４において実際に用いた量を特定しただけのものであって、その効果において特別な意味のある数値ではない。一方、上記引用例２及び引用例３には、好ましい界面活性剤としてパーフルオロアルキル基を有する界面活性剤が例示され（上記記載２−ニ、ト、３−ハ、ニ参照）、該界面活性剤は滑り性、分散性、塗膜形成性、塗布性、表面性、耐湿性、耐摩耗性等をいずれも向上させるという、本願補正発明１と同様の作用効果を奏する目的で用いられているものであり（上記記載２−ロ、ハ、３−ロ参照）、さらに、引用例２には、界面活性剤の添加使用量について「添加使用量は塗料組成によって大幅に変動するが、塗料の１０−４〜１．０ｗｔ％の範囲であり、最適量は実用的に定められる」と記載されていることから（上記記載２−ニ参照）、引用例２記載の発明において界面活性剤の上記の作用効果を考慮して最適な添加量を定めることは、当業者であれば容易になし得ることであって、上記相違点３に挙げられた構成を採用することに格別の困難性があったものとは認められない。
　そして、本願補正発明１の作用効果も、上記引用例２及び引用例３の記載から当業者が予測できる範囲のものである。
　したがって、本願補正発明１は、引用例２及び引用例３に記載された発明に基づいて、当業者が容易に発明をすることができたものであるから、特許法第２９条第２項の規定により特許出願の際独立して特許を受けることができないものである。
　
（４）むすび
　以上のとおり、本願補正発明１は特許出願の際独立して特許を受けることができないものであるから、本願補正発明２及び３の独立特許要件について検討するまでもなく、本件補正は、特許法第１７条の２第５項で準用する同法第１２６条第４項の規定に違反するものであり、特許法第１５９条第１項で準用する特許法第５３条第１項の規定により却下されるべきものである。
　なお、平成１４年４月９日付け審尋により、本件補正は特許法第１５９条第１項で準用する特許法第５３条第１項の規定により却下されるべきものである旨を通知するとともに、期間を指定して回答書を提出する機会を与えたが、請求人からは何らの応答もなかった。
　
３．本願発明について
　平成１１年６月１７日付けの手続補正は上記のとおり却下されたので、本願の請求項１ないし請求項３に係る発明は、平成１０年１０月２日付手続補正書の特許請求の範囲の請求項１に記載された事項により特定されるものであって、その請求項１に係る発明（以下、「本願発明１」という）は、以下のとおりのものである。
「【請求項１】アルミニウム支持体の表面に電荷発生層を設け、前記電荷発生層の上に電荷輸送層を設けた電子写真感光体において、前記電荷輸送層が電荷輸送用塗料にパーフルオロアルキル基を有する界面活性剤を含み、前記界面活性剤の量を前記電荷輸送用塗料の固形分の重量の０．０５重量％としたことを特徴とする電子写真感光体。」
　
（１）引用例
　原査定の拒絶の理由に引用された引用例（上記引用例１）及びその記載事項は、前記「２．（２）」に記載したとおりである。
　
（２）対比・判断
　本願発明１は、本願補正発明１における「電荷輸送層が電荷輸送用塗料にパーフルオロアルキル基を有する界面活性剤のみを混ぜたものからなり」という構成が「電荷輸送層がパーフルオロアルキル基を有する界面活性剤を含み」という構成となったものである。
　そうすると、本願発明１の構成をすべて含み、さらに他の構成要件を付加したものに相当する本願補正発明１が、前記「２．（３）（本願補正発明１と引用例１記載の発明との対比）の項」に記載したとおり、引用例１に記載された発明に基づいて当業者が容易に発明をすることができたものであるから、本願発明１も、同様の理由により、引用例１に記載された発明に基づいて、当業者が容易に発明をすることができたものである。
　
（３）むすび
　以上のとおり、本願発明１は、引用例１に記載された発明に基づいて、当業者が容易に発明をすることができたものであるから、特許法第２９条第２項の規定により特許を受けることができない。
　そして、本願発明１が特許を受けることができないものであるから、本願の請求項２及び３に係る発明について審究するまでもなく、本願は拒絶すべきものである。
　よって、結論のとおり審決する。